(57)【要約】      （修正有）【課題】壁面の突起具に係止した状態で表示物の交換を簡単かつ迅速に行うことができると共に、厚さがそれぞれ異なる表示物でも支持することができる額縁構造を提供する。【解決手段】中央部に表示窓部１４ａが形成され、表示窓部の周囲を囲むように枠部が形成された本体部材１４と、本体部材の枠部に取り付けられた吊具２４と、本体部材の背面の、表示窓部の上側の枠部に設けられた係止部２２、及び、表示窓部の下側の枠部に形成された支持部２６と、外形が表示窓部より大きく形成され、背面から脚部１８が突出形成された裏板１６と、を備え、係止部２２に、裏板の上部が係止することにより、裏板が本体部材の背面側に取り付けられ、係止部は、裏板と枠部の間隔が変更可能に形成され、吊具により本体部材を吊り下げたときに、本体部材と裏板との間に表示物を挟み込むことができ、支持部２６が表示物の下部を支持する。【選択図】図１
0003213399.tif 000002
【実用新案登録請求の範囲】
【請求項１】
中央部に表示窓部が形成され、前記表示窓部の周囲を囲むように枠部が形成された本体部材と、
前記本体部材の前記枠部に取り付けられた吊具と、
前記本体部材の背面の、前記表示窓部の上側の前記枠部に設けられた係止部と、
前記本体部材の背面の、前記表示窓部を挟んだ前記係止部と反対側の前記枠部に形成された支持部と、
外形が前記表示窓部より大きく形成され、その背面から脚部が突出するように形成された裏板と、を備え、
前記係止部に、前記裏板の上部が係止することにより、前記裏板が前記本体部材の背面側に取り付けられ、
前記係止部が、前記裏板と前記枠部の間隔が変更可能となるように形成され、
前記吊具により前記本体部材を吊り下げたときに、前記本体部材と前記裏板との間に表示物を挟み込むことができ、
前記支持部が前記表示物の下部を支持することができるように構成した
ことを特徴とする額縁構造。
【請求項２】
前記係止部は、
前記本体部材の背面の、前記表示窓部の上側の前記枠部に、水平方向に所定の間隔をあけて、前記枠部の背面から突出して形成された２つの突出部と、
同一の軸線上に位置する両端部と、前記両端部の間に位置し、前記両端部の軸線と略平行、かつ前記両端部の軸線から下方にずれて位置する中央部と、前記中央部と前記両端部を連結する連結部からなる係止軸と、を備え、
前記係止軸の前記両端部が、前記２つの突出部のそれぞれに、前記両端部の軸線周りに回動可能に取り付けられ、
前記裏板の周部にはフック部が形成され、
前記フック部が前記係止軸の中央部に係止することにより、前記裏板が前記本体部材の背面側に取り付けられる
ことを特徴とする請求項１に記載の額縁構造。
【請求項３】
前記脚部の突出方向の端部が、前記本体部材より背面側に突出するように形成された
ことを特徴とする請求項１又は２に記載の額縁構造。
【請求項４】
前記係止部には、
前記２つの突出部の間に形成され、前記枠部の背面から垂直方向に突出して形成される段差面と、前記段差面の上部側がさらに垂直方向に突出して形成される突出面を有する階段状の段差部と、
前記段差部の左右に形成され、その下端から上方に向かうにつれて、断面が前記枠部の背面から前記突出面の位置まで緩やかに立上るような円弧形状に形成された円弧面を有するガイド部と、が形成され、
前記係止軸の前記中央部が前記段差面に接触することにより、前記係止軸の前記中央部と前記円弧面の間に隙間が形成され、
前記係止軸の前記中央部と前記円弧面の間隔は、前記フック部の先端部の厚さ寸法より大きく形成されている
ことを特徴とする請求項２又は３に記載の額縁構造。
【請求項５】
前記係止部には、前記２つの突出部の間に、前記枠部の背面から前面へ向けて、前記本体部材の厚さ方向に凹むように、その最奥部には最奥面が形成された凹部が形成され、
前記係止軸の前記両端部のそれぞれの内側の端面の間をつなぐように、前記係止軸の前記中央部と略平行にガイド部が形成され、
前記係止軸の前記中央部と前記ガイド部の間には隙間が形成され、
前記係止軸の前記中央部と前記ガイド部の間隔は、前記フック部の厚さ寸法より大きく形成され、
前記係止軸の前記中央部の両端が前記本体部材の前記枠部の背面に接触することにより、前記係止軸の前記中央部と前記凹部の前記最奥面の間に隙間が形成され、
前記係止軸の前記中央部と前記凹部の前記最奥面の間隔は、前記フック部の先端部の厚さ寸法より大きく形成されている
ことを特徴とする請求項２又は３に記載の額縁構造。
【請求項６】
前記係止部が、前記本体部材の前記枠部の背面の、複数の位置に設けられ、
前記フック部が、前記裏板の周部の、複数の位置に設けられた
ことを特徴とする請求項１から５いずれかに記載の額縁構造。
【考案の詳細な説明】
【技術分野】
【０００１】
本考案は、チラシや小冊子等のさまざまな厚さの表示物を挟み込んで支持し、壁等の鉛直平面に設けられた突起具に吊り下げることにより、表示物を鉛直平面に展示するための額縁構造に関するものである。
【背景技術】
【０００２】
従来の額縁構造としては、額縁本体の背面から裏板を外し、表示物を額縁本体の内部に配置してから、裏板を額縁本体に戻して、表示物を額縁本体と裏板で挟み込むように支持するものが知られていた（例えば特許文献１）。
【０００３】
本出願の図１７及び図１８は、従来の額縁構造２について説明するために、参照する図である。
【０００４】
従来の額縁構造２は、図１７に示すように、外形が略四角形の板状に形成された本体部材４と、本体部材４の背面に取り付けられた裏板６を備えていた。
【０００５】
本体部材４には、図１８に示すように、本体部材４の外形より小さい略四角形の配置部４ａが、本体部材４の背面の中央部に形成され、配置部４ａの周囲を囲むように縁部４ｂが形成されていた。
【０００６】
配置部４ａは、図１８に示すように、本体部材４の背面から前面へ向けて、本体部材４の厚さ方向に凹むように形成されていた。そして、配置部４ａの中央部には、配置部４ａの外形より小さい略四角形の表示窓部４ｃが形成され、表示窓部４ｃの周囲を囲むように枠部４ｄが形成されていた。
【０００７】
表示窓部４ｃは、配置部４ａの背面側に配置した表示物１の表示面が、額縁の前面側から見えるように、配置部４ａを厚さ方向に貫通する開口部として形成されていた。
【０００８】
そして、裏板６は、配置部４ａの外形よりわずかに小さい略四角形の板状に形成されていた。そのため、図１７（ｂ）及び図１８に示すように、裏板６を、本体部材４の背面から凹むように形成された配置部４ａに、緩く嵌合させることが可能になっていた。
【０００９】
また、裏板６の厚さ寸法は、本体部材４の背面から配置部４ａまでの寸法より小さく形成されていた。そのため、裏板６を配置部４ａに嵌合させたときに、裏板６の背面が本体部材４の背面から突出しないようになっていた。
【００１０】
そして、本体部材４の縁部４ｂには、図１７（ｂ）及び図１８に示すように、配置部４ａに嵌合させた裏板６を係止するために、複数の係止片８が取り付けられていた。
【００１１】
係止片８は、外形が細長い楕円形に形成された板状の部材であり、その長さ方向の一方の部分（固定部）が縁部４ｂの背面にネジ等によって回動可能に取り付けられていた。
【００１２】
そして、図１７（ｂ）に示すように、係止片８の長さ方向の他方の部分（押え部）が配置部４ａの内側に位置するように係止片８を回動させることにより、配置部４ａに嵌合した裏板６が背面側に外れないように係止することが可能になっていた。
【００１３】
そして、図１８に示すように、係止片８の押え部が配置部４ａの外側に位置するように係止片８を回動させることにより、裏板６を配置部４ａから取り外すことが可能になっていた。
【００１４】
そして、図１７（ｂ）に示すように、本体部材４の左辺側と右辺側の縁部４ｂには、その背面の略同一の高さ位置に、所定の長さを有するかけ紐９の両端部がそれぞれ取り付けられ、これを壁等の鉛直平面に設けられた突起具に係止することにより、上記の額縁構造２を鉛直平面に吊り下げることができるようになっていた。
【００１５】
このような、従来の額縁構造２を用いて表示物１を支持する場合は、まず、縁部４ｂに取り付けられた全ての係止片８を、押え部が配置部４ａの外側に位置するように回動させて、本体部材４の配置部４ａに嵌合している裏板６を取り外す。
【００１６】
そして、表示物１を本体部材４の背面側から配置部４ａに配置し、裏板６を本体部材４の配置部４ａに嵌合させて、表示物１を本体部材４と裏板６で挟み込む（図１８参照）。そして、全ての係止片８を押え部が配置部４ａの内側に位置するように回動させて、裏板６を本体部材４に係止させ、表示物１を支持していた。
【先行技術文献】
【特許文献】
【００１７】
【特許文献１】実用新案登録第３０７１５５５号公報
【考案の概要】
【考案が解決しようとする課題】
【００１８】
しかしながら、上述したような従来の額縁構造２では、表示物１を額縁構造２に配置して支持する場合や、額縁構造２が支持する表示物１を交換する場合においては、額縁を壁面等から取り外してから上記作業を行う必要があり、表示物１を頻繁に交換する場合や、一度に複数の額縁の表示物１を交換する場合には、その作業がとても煩雑なものになっていた。
【００１９】
また、上述したような従来の額縁構造２では、額縁構造２が支持可能な表示物１の厚さには制限があり、それを超えた厚さの表示物１は正常に支持できなくなるという問題もあった。
【００２０】
例えば、非常に薄い一枚の紙のような表示物１を配置部４ａに配置して、背面から裏板６で挟み込むと、裏板６の背面が本体部材４の背面より前面側に位置するため、係止片８を回動して裏板６を係止しても、配置部４ａの枠部４ｄと裏板６の間に隙間が生じてしまい、表示物１の表示位置がずれたり、表示物１がその厚さ方向に折曲ってシワになったりするおそれがあった。
【００２１】
また、反対に小冊子のような分厚い表示物１を配置部４ａに配置して、背面から裏板６で挟み込もうとすると、裏板６の背面が本体部材４の背面から突出するため、係止片８を回動しようとしても、係止片８が裏板６の側面に当接して裏板６の裏側に係止することができず、無理に係止片８を回動して裏板６の裏側に係止しようとすると、係止片８の回動軸部が破損してしまうおそれがあった。
【００２２】
そこで本考案は、上記問題点に鑑みて、壁面の突起具に係止した状態で表示物の交換を簡単かつ迅速に行うことができると共に、厚さがそれぞれ異なる表示物でも支持することができる額縁構造を提供することを課題とするものである。
【課題を解決するための手段】
【００２３】
本考案による額縁構造は、
中央部に表示窓部が形成され、前記表示窓部の周囲を囲むように枠部が形成された本体部材と、
前記本体部材の前記枠部に取り付けられた吊具と、
前記本体部材の背面の、前記表示窓部の上側の前記枠部に設けられた係止部と、
前記本体部材の背面の、前記表示窓部を挟んだ前記係止部と反対側の前記枠部に形成された支持部と、
外形が前記表示窓部より大きく形成され、その背面から脚部が突出するように形成された裏板と、を備え、
前記係止部に、前記裏板の上部が係止することにより、前記裏板が前記本体部材の背面側に取り付けられ、
前記係止部が、前記裏板と前記枠部の間隔が変更可能となるように形成され、
前記吊具により前記本体部材を吊り下げたときに、前記本体部材と前記裏板との間に表示物を挟み込むことができ、
前記支持部が前記表示物の下部を支持することができるように構成した
ことを特徴とするものである。
【００２４】
また、本考案による額縁構造は、
前記係止部は、
前記本体部材の背面の、前記表示窓部の上側の前記枠部に、水平方向に所定の間隔をあけて、前記枠部の背面から突出して形成された２つの突出部と、
同一の軸線上に位置する両端部と、前記両端部の間に位置し、前記両端部の軸線と略平行、かつ前記両端部の軸線から下方にずれて位置する中央部と、前記中央部と前記両端部を連結する連結部からなる係止軸と、を備え、
前記係止軸の前記両端部が、前記２つの突出部のそれぞれに、前記両端部の軸線周りに回動可能に取り付けられ、
前記裏板の周部にはフック部が形成され、
前記フック部が前記係止軸の中央部に係止することにより、前記裏板が前記本体部材の背面側に取り付けられる
ことを特徴とするものである。
【００２５】
また、本考案による額縁構造は、
前記脚部の突出方向の端部が、前記本体部材より背面側に突出するように形成された
ことを特徴とするものである。
【００２６】
また、本考案による額縁構造は、
前記係止部には、
前記２つの突出部の間に形成され、前記枠部の背面から垂直方向に突出して形成される段差面と、前記段差面の上部側がさらに垂直方向に突出して形成される突出面を有する階段状の段差部と、
前記段差部の左右に形成され、その下端から上方に向かうにつれて、断面が前記枠部の背面から前記突出面の位置まで緩やかに立上るような円弧形状に形成された円弧面を有するガイド部と、が形成され、
前記係止軸の前記中央部が前記段差面に接触することにより、前記係止軸の前記中央部と前記円弧面の間に隙間が形成され、
前記係止軸の前記中央部と前記円弧面の間隔は、前記フック部の先端部の厚さ寸法より大きく形成されている
ことを特徴とするものである。
【００２７】
また、本考案による額縁構造は、
前記係止部には、前記２つの突出部の間に、前記枠部の背面から前面へ向けて、前記本体部材の厚さ方向に凹むように、その最奥部には最奥面が形成された凹部が形成され、
前記係止軸の前記両端部のそれぞれの内側の端面の間をつなぐように、前記係止軸の前記中央部と略平行にガイド部が形成され、
前記係止軸の前記中央部と前記ガイド部の間には隙間が形成され、
前記係止軸の前記中央部と前記ガイド部の間隔は、前記フック部の厚さ寸法より大きく形成され、
前記係止軸の前記中央部の両端が前記本体部材の前記枠部の背面に接触することにより、前記係止軸の前記中央部と前記凹部の前記最奥面の間に隙間が形成され、
前記係止軸の前記中央部と前記凹部の前記最奥面の間隔は、前記フック部の先端部の厚さ寸法より大きく形成されている
ことを特徴とするものである。
【００２８】
また、本考案による額縁構造は、
前記係止部が、前記本体部材の前記枠部の背面の、複数の位置に設けられ、
前記フック部が、前記裏板の周部の、複数の位置に設けられた
ことを特徴とするものである。
【考案の効果】
【００２９】
このような本考案による額縁構造によれば、
中央部に表示窓部が形成され、前記表示窓部の周囲を囲むように枠部が形成された本体部材と、
前記本体部材の前記枠部に取り付けられた吊具と、
前記本体部材の背面の、前記表示窓部の上側の前記枠部に設けられた係止部と、
前記本体部材の背面の、前記表示窓部を挟んだ前記係止部と反対側の前記枠部に形成された支持部と、
外形が前記表示窓部より大きく形成され、その背面から脚部が突出するように形成された裏板と、を備え、
前記係止部に、前記裏板の上部が係止することにより、前記裏板が前記本体部材の背面側に取り付けられ、
前記係止部が、前記裏板と前記枠部の間隔が変更可能となるように形成され、
前記吊具により前記本体部材を吊り下げたときに、前記本体部材と前記裏板との間に表示物を挟み込むことができ、
前記支持部が前記表示物の下部を支持することができるように構成したことにより、
壁面の突起具に係止した状態で表示物の交換を簡単かつ迅速に行うことができると共に、厚さがそれぞれ異なる表示物でも支持することができる。
【図面の簡単な説明】
【００３０】
【図１】本考案の第１の実施の形態に係る額縁構造１２を示す図であって、図１（ａ）は額縁構造１２の表面側を示し、図１（ｂ）は額縁構造１２の裏面側を示す概略斜視図であり、本考案の第２、第３の実施の形態に係る額縁構造３２，４２の説明にも用いるものとする。
【図２】図１に示す本体部材１４の正面図である。
【図３】図２の本体部材１４におけるＡ−Ａ線矢視断面図である。
【図４】図１に示す裏板１６の正面図である。
【図５】図４の裏板１６におけるＢ−Ｂ線矢視断面図である。
【図６】額縁構造１２を用いた表示物１の支持方法、及び支持した表示物１の交換方法を説明するための、図１（ｂ）の額縁構造１２におけるＦ−Ｆ線矢視断面の一部を省略した概略断面図である。
【図７】額縁構造１２を用いて異なる厚さの表示物１を支持する方法を説明するための概略断面図である。
【図８】本考案の第２の実施の形態に係る額縁構造３２における本体部材３４の正面図である。
【図９】本考案の第２の実施の形態に係る額縁構造３２における裏板３６の正面図である。
【図１０】図８に示す本体部材３４の補助突出部３８周辺を拡大した拡大正面図である。
【図１１】図１１（ａ）は、図１０の本体部材３４におけるＣ−Ｃ線矢視断面図であり、図１１（ｂ）は、図１０の本体部材３４におけるＤ−Ｄ線矢視断面図である。
【図１２】補助突出部３８の構造を説明するための概略断面図である。
【図１３】本考案の第３の実施の形態に係る額縁構造４２における本体部材４４の正面図である。
【図１４】本体部材４４の凹部４８周辺を拡大した拡大正面図である。
【図１５】図１４の本体部材４４におけるＥ−Ｅ線矢視断面図である。
【図１６】係止軸４６、及び凹部４８の構造を説明するための概略断面図である。
【図１７】従来の額縁構造２を示す図であって、図１７（ａ）は額縁構造２の表面側を示し、図１７（ｂ）は額縁構造２の裏面側を示す概略斜視図である。
【図１８】従来の額縁構造２を用いて表示物１を支持する方法を説明するための概略斜視図である。
【考案を実施するための形態】
【００３１】
以下、本考案による額縁構造を実施するための形態について、図面に基づいて具体的に説明する。
【００３２】
図１ないし図７は、本考案の第１の実施の形態に係る額縁構造１２について説明するために、参照する図である。なお、図１７及び図１８に示した従来の額縁構造２と同様の部分には、一部を除き同じ符号を付して説明するものとする。
【００３３】
本実施の形態に係る額縁構造１２は、図１に示すように、外形が略四角形の板状に形成された本体部材１４と、本体部材１４の背面側に取り付けられた裏板１６と、本体部材１４の前面に取り付けられた前面板１９を備えている。
【００３４】
本体部材１４には、図２に示すように、本体部材１４の外形より小さい略四角形の表示窓部１４ａが、本体部材１４の中央部に形成され、表示窓部１４ａの周囲を囲むように枠部１４ｂが形成されている。
【００３５】
表示窓部１４ａは、本体部材１４の背面側に配置した表示物１の表示面が、額縁の前面側から見えるように、本体部材１４を厚さ方向に貫通する開口部として形成されている。
【００３６】
また、本体部材１４の上辺側の枠部１４ｂには、図２に示すように、２つの突出部２０，２０が形成されている。２つの突出部２０，２０は、本体部材１４の上辺側の枠部１４ｂの中央付近に、水平方向に所定の間隔をあけて、枠部１４ｂの背面から突出するように形成されている。そして、図３に示すように、突出部２０の突出方向（図３中左側）の端面には、枠部１４ｂの背面と略平行な突出面２０ｃが形成されている。
【００３７】
そして、２つの突出部２０，２０の互いに対向する面には、図３に示すように、係止軸孔２０ａと吊具孔２０ｂが、対向する面から所定の深さまで形成されている。係止軸孔２０ａは、互いに対向する面の鉛直下方側、かつ枠部１４ｂの背面寄りの位置に形成され、吊具孔２０ｂは、係止軸孔２０ａの上方、かつ突出面２０ｃ寄りの位置に形成されている。
【００３８】
そして、図２及び図３に示すように、２つの突出部２０，２０の互いに対向する面に形成された係止軸孔２０ａには、係止軸２２の両端部がそれぞれ嵌合している。
【００３９】
係止軸２２は所定の長さを有する棒状の部材であり、図２に示すように、その両端部は同一の軸線上に位置し、両端部の間に位置する係止軸２２の中央部は、両端部の軸線と平行、かつ下方にずれて位置し、両端部と中央部が斜め方向に折曲った連結部によって連結されているような、クランク形状に形成されている。
【００４０】
これら２つの突出部２０，２０、及び係止軸２２からなる構成（係止部）を有するため、係止軸孔２０ａに嵌合した係止軸２２の両端部が、その両端部の軸線周りに回転することにより、係止軸２２の中央部と本体部材１４の間隔長さを変更することが可能になっている。
【００４１】
また、図２及び図３に示すように、２つの突出部２０，２０の互いに対向する面に形成された吊具孔２０ｂには、吊具２４の両端部がそれぞれ嵌合している。吊具２４は、図２に示すように、所定の長さを有する棒状の部材であり、中央部が上方に向けて略逆Ｕ字状に形成され、両端部は略逆Ｕ字状の両端から直角方向外側に折曲るように形成されている。
【００４２】
また本体部材１４の、表示窓部１４ａを挟んだ係止軸２２と反対側の位置、すなわち、本体部材１４の下辺側の枠部１４ｂには、図１（ｂ）及び図２に示すように、板状の支持部２６が形成されている。支持部２６は、本体部材１４の下辺側の枠部１４ｂの中央付近に、水平方向に所定の長さを有し、枠部１４ｂの背面から垂直方向に突出するように形成されている。
【００４３】
そして、裏板１６は、図１（ｂ）及び図４に示すように、本体部材１４の表示窓部１４ａの外形より大きい略四角形の板状に形成されている。
【００４４】
裏板１６の上辺部の中央付近には、図１（ｂ）及び図４に示すように、２つのフック部１７，１７が形成されている。フック部１７は、図５に示すように、裏板１６の上辺部から上方に延びる延板部１７ａと、延板部１７ａの上端から裏板１６の背面方向に向けて逆Ｕ字状に湾曲する湾曲部１７ｂと、湾曲部１７ｂの延板部１７ａと反対側の端部から下側に延びる先端部１７ｃから構成されている。
【００４５】
そして、フック部１７の先端部１７ｃと延板部１７ａの間隔は、上記の係止軸２２の中央部の直径より大きく形成されている。そのため、図１（ｂ）に示すように、フック部１７を係止軸２２の中央部に係止させることにより、裏板１６を本体部材１４の背面側に取り付けることが可能になっている。
【００４６】
また、裏板１６の四隅部には、図１（ｂ）及び図４に示すように、その背面から垂直方向に突出するように、略円板形状の脚部１８が形成されている。そして、図５に示すように、脚部１８の突出方向（図５中左側）の端面には接触面１８ａが形成されている。
【００４７】
脚部１８の厚さ寸法、すなわち、裏板１６の前面から接触面１８ａまでの寸法は、枠部１４ｂの背面から突出部２０の突出面２０ｃまでの寸法や、支持部２６の突出方向の先端面までの寸法より大きく形成されている。
【００４８】
そのため、裏板１６が本体部材１４の背面側に取り付けられたときに、本体部材１４の背面に形成された各部（突出部２０や支持部２６）が、裏面１６の脚部１８の接触面１８ａより背面側に突出しないようになっている。
【００４９】
そして、図１に示すように、本体部材１４の前面には、額縁の前面を装飾するための、前面板１９が取り付けられている。
【００５０】
次に、上記額縁構造１２を用いて、表示物１を支持して展示する方法、及び支持した表示物１を交換する方法について説明する。
【００５１】
まず、図６（ｂ）に示すように、表示物１を本体部材１４の背面側に配置した後、フック部１７を係止軸２２の中央部に係止し、裏板１６を本体部材１４の背面側に取り付ける。これにより、表示物１は本体部材１４と裏板１６により挟み込まれる。そして、本体部材１４の吊具２４の最上部を壁面３０に設けられた突起具（図示せず）に掛けて係止し、額縁構造１２を壁面３０の突起具に吊り下げる。
【００５２】
このとき、本体部材１４の背面に形成された各部（突出部２０や支持部２６）が、裏板１６の脚部１８の接触面１８ａより背面側に突出しないため、脚部１８の接触面１８ａが壁面３０に接触し、その結果、表示物１は裏板１６により本体部材１４の背面に向って押さえつけられる（図６（ａ）参照）。
【００５３】
また、図６（ａ）に示すように、支持部２６により表示物１の下部が支持されるため、表示物１が下方に落下することが防止される。その結果、表示物１を額縁構造１２によって支持して、壁面３０の上に展示することができる。
【００５４】
そして、表示物１を交換する場合は、図６（ｂ）に示すように、額縁構造１２を壁面３０の突起具に吊り下げた状態で、本体部材１４の下部を壁面３０から離れるように操作することにより、本体部材１４と裏面１６の間に大きな隙間ができるため、表示物１を簡単かつ迅速に取り出したり、交換したりすることができる。
【００５５】
また、上記のように係止軸２２の中央部と本体部材１４の間隔長さを変更することが可能になっているため、係止軸２２の中央部にフック部１７が係止した裏板１６と本体部材１４との間隔長さも変更することが可能であり、図７に示すように、厚さがそれぞれ異なる表示物１でも支持することができる。
【００５６】
すなわち、額縁構造１２を壁面３０の突起具に吊り下げることにより、表示物１が裏板１６により本体部材１４の背面に向って押さえつけられるので、裏板１６と本体部材１４の間に隙間が生じることがなく、非常に薄い一枚の紙のような表示物１であっても、表示物１の表示位置がずれたり、表示物１がその厚さ方向に折曲ってシワになったりせずに支持することができる（図７（ａ）参照）。
【００５７】
また、反対に小冊子のような厚さが分厚い表示物１を本体部材１２の背面に配置すると、裏板１６と本体部材１４の間隔長さが大きくなるように係止軸２２が、その両端部を支点にして回動するので、厚さが分厚い表示物１であっても支持することができる（図７（ｂ）参照）。
【００５８】
また、係止軸２２の中央部を、係止軸２２の両端部の軸線から、より下方にずらして形成することもでき、そのことにより、さらに厚さが分厚い表示物１を支持することもできる。
【００５９】
このような本考案の第１の実施の形態に係る額縁構造１２によれば、壁面の突起具に係止した状態で表示物の交換を簡単かつ迅速に行うことができると共に、厚さがそれぞれ異なる表示物でも支持することができる。
【００６０】
図８ないし図１２は、本考案の第２の実施の形態に係る額縁構造３２について説明するために、参照する図である。なお、前記第１の実施の形態に係る額縁構造１２と同様の部分には、一部を除き同じ符号を付して説明するものとする。
【００６１】
本実施の形態に係る額縁構造３２は、図１に示すような、第１の実施の形態に係る額縁構造１２における本体部材１４の代わりに、図８に示すような本体部材３４を備え、裏板１６の代わりに、図９に示すような裏板３６を備えている点において、第１の実施の形態に係る額縁構造１２とは異なるものである。
【００６２】
本体部材３４は、図８に示すように、第１の実施の形態に係る額縁構造１２における本体部材１４と同様に、その外形が略四角形の板状に形成され、略四角形の表示窓部３４ａが本体部材３４の中央部に形成され、表示窓部３４ａの周囲を囲むように枠部３４ｂが形成されている。
【００６３】
そして、本体部材３４の上辺側の枠部３４ｂには、本体部材１４と同様に、２つの突出部２０，２０が形成され、係止軸２２と吊具２４が取り付けられている。
【００６４】
そしてさらに、本体部材３４には、２つの突出部２０，２０の間に、枠部３４ｂの背面から突出するように補助突出部３８が形成されている。
【００６５】
そして、図８に示すように、これらの２つの突出部２０，２０、係止軸２２、吊具２４、及び補助突出部３８からなる構成が、本体部材３４の上辺側の枠部３４ｂだけでなく、本体部材３４の右辺側の枠部３４ｂにも設けられている。
【００６６】
そして、本体部材３４の下辺側の枠部３４ｂに形成されている、前記本体部材１４の支持部２６と同様の支持部２６が、本体部材３４の左辺側の枠部３４ｂにも形成されている。
【００６７】
補助突出部３８は、図１０に示すように、その長さ方向（係止軸２２の軸線と平行方向）の中央部に形成された段差部３８ａと、段差部３８ａの左右に形成された２つのガイド部３８ｂにより構成されている。
【００６８】
段差部３８ａは、図１１（ａ）に示すように、枠部３４ｂの背面から垂直方向に突出して形成される段差面３８ｄと、段差面３８ｄの上部側がさらに垂直方向に突出して形成される突出面３８ｃを有する階段状に形成されている。
【００６９】
また、段差部３８ａの長さ方向（図１０中左右方向）の寸法は、裏板３６に形成された２つのフック部１７，１７の間の間隔より小さく形成されており、裏板３６が本体部材３４に取り付けられると、段差部３８ａが２つのフック部１７，１７の間に位置するようになっている。そのため、フック部１７は段差部３８ａに接触しないため、係止軸２２や裏板３６の動作を阻害することがないようになっている。
【００７０】
また、ガイド部３８ｂは、図１１（ｂ）に示すように、ガイド部３８ｂの下端から上方に向かうにつれて、その断面が枠部３４ｂの背面から段差部３８ａの突出面３８ｃの位置まで緩やかに立上るような円弧形状をなす、円弧面３８ｅが形成されている。
【００７１】
そして、図１１（ａ）に示すように、係止軸２２の中央部が段差面３８ｄに接触するため、図１１（ｂ）に示すように、段差部３８ａの左右に形成されたガイド部３８ｂにおいては、係止軸２２の中央部と円弧面３８ｅは接触せずに、隙間が形成されている。
【００７２】
そして、係止軸２２の中央部と円弧面３８ｅの間隔は、後述の裏板３６に形成されたフック部１７の先端部１７ｃの厚さ寸法より大きく形成されている。
【００７３】
裏板３６は、図９に示すように、第１の実施の形態に係る額縁構造１２における裏板１６と同様に、略四角形の板状に形成され、その上辺部の中央付近には２つのフック部１７，１７が形成され、背面の四隅部には４つの略円板形状の脚部１８が形成されている。
【００７４】
そして、図９に示すように、裏板３６の上辺部に形成された２つのフック部１７，１７と同様のものが、裏板３６の右辺部にも形成されている。
【００７５】
このような、本実施の形態に係る額縁構造３２においては、裏板３６の右辺部に形成されたフック１７を、本体部材３４の右辺側の枠部３４ｂに設けられた係止軸２２に係止し、本体部材３４の右辺側の枠部３４ｂに設けられた吊具２４を壁面３０に設けられた突起具に係止することにより、本体部材３４及び裏板３６の右辺側を上にして壁面３０に吊り下げることもできるようにしたもので、表示物１の形状や図柄によって、額縁構造３２の展示方向を変更することができる。
【００７６】
そして、本実施の形態に係る額縁構造３２においては、係止軸２２の中央部と円弧面３８ｅの間に隙間が形成されているため、本体部材３４に裏板３６を取り付ける場合、図１２（ａ）に示すように、フック部１７の先端部１７ｃを、係止軸２２の中央部と円弧面３８ｅの間の隙間に容易に差し込むことができ、裏板３６の取り付けを簡単に行うことができる。
【００７７】
そして、本実施の形態に係る額縁構造３２においては、前記図６に示したような、表示物１の交換作業を行う場合、例えば作業中に作業者の手が裏板３６に接触して、図１２（ｂ）に示すように、裏板３６が上方に少し持ち上げられたとしても、フック部１７の湾曲部１７ｂがガイド部３８ｂの円弧面３８ｅに接触するため、裏板３６が係止軸２２から容易に外れることを防止することができる。
【００７８】
その他の構成は、前記第１の実施の形態に係る額縁構造１２と同様であるため、この本考案の第２の実施の形態に係る額縁構造３２を用いることにより、壁面の突起具に係止した状態で表示物の交換を簡単かつ迅速に行うことができると共に、厚さがそれぞれ異なる表示物でも支持することができる。
【００７９】
さらに、本実施の形態に係る額縁構造３２を用いることにより、額縁構造３２の展示方向を変更することができる。また、裏板３６の本体部材３４への取り付けが容易になり、表示物１の交換作業中に裏板３６が外れることを防止することができるため、表示物１の交換をより迅速に行うことができる。
【００８０】
なお、本体部材３４には、前記第１の実施の形態に係る本体部材１４のように補助突出部３８がないものとして構成することもでき、額縁構造３２の展示方向を縦又は横に変更できるようにすることもできる。
【００８１】
図１３ないし図１６は、本考案の第３の実施の形態に係る額縁構造４２について説明するために、参照する図である。なお、前記第２の実施の形態に係る額縁構造３２と同様の部分には、一部を除き同じ符号を付して説明するものとする。
【００８２】
本実施の形態に係る額縁構造４２は、図８ないし図１２に示すような、第２の実施の形態に係る額縁構造３２における本体部材３４の代わりに、図１３に示すような本体部材４４を備えている点において、第２の実施の形態に係る額縁構造３２とは異なるものである。
【００８３】
本体部材４４は、図１３に示すように、第２の実施の形態に係る額縁構造３２における本体部材３４と同様に、その外形が略四角形の板状に形成され、略四角形の表示窓部４４ａが本体部材４４の中央部に形成され、表示窓部４４ａの周囲を囲むように枠部４４ｂが形成されている。
【００８４】
そして、図１４に示すように、本体部材４４の上辺側の枠部４４ｂには、本体部材３４と同様に、２つの突出部２０，２０が形成され、吊具２４が取り付けられている。
【００８５】
また、図１４に示すように、２つの突出部２０，２０には、本体部材３４における係止軸２２の代わりに係止軸４６（図１５参照）が取り付けられている。
【００８６】
そして、本体部材４４には、２つの突出部２０，２０の間に、本体部材３４における補助突出部３８の代わりに凹部４８（図１５参照）が形成されている。
【００８７】
凹部４８は、図１５に示すように、枠部４４ｂの背面から前面へ向けて、本体部材４４の厚さ方向に凹むように形成され、その最奥部には枠部４４ｂの背面と略平行な最奥面４８ａが形成されている。
【００８８】
係止軸４６は、図１４及び図１５に示すように、同一の軸線上に位置する両端部４６ａと、両端部４６ａの軸線と略平行、かつ両端部４６ａの軸線から下方にずれて位置する中央部４６ｂと、中央部４６ｂの両端をそれぞれの両端部４６ａと連結する連結部４６ｃを備える、クランク形状に形成されている。
【００８９】
そして、図１４及び図１５に示すように、断面が半円形状に形成されたガイド部４６ｄが、係止軸４６の両端部４６ａ，４６ａのそれぞれの内側の端面の間をつなぐように、係止軸４６の中央部４６ｂと略平行に形成されている。
【００９０】
そのため、中央部４６ｂとガイド部４６ｄの間には隙間が形成され、ガイド部４６ｄの、中央部４６ｂに対向する部分には、ガイド面４６ｅが形成されている。
【００９１】
そして、係止軸４６の中央部４６ｂとガイド面４６ｅの間隔は、裏板３６に形成されたフック部１７の厚さ寸法、すなわち、延板部１７ａ，湾曲部１７ｂ，先端部１７ｃそれぞれの厚さ寸法より大きく形成されている。そのため、フック部１７を係止軸４６の中央部４６ｂに係止してもフック部１７がガイド面４６ｅに接触しないので、フック部１７がガイド面４６ｅに接触して係止軸４６や裏板３６の動作を阻害することがないようになっている。
【００９２】
また、図１４に示すように、係止軸４６の中央部４６ｂの軸線方向（図１４中左右方向）の長さ寸法は、凹部４８の同一方向の寸法より大きく形成されており、中央部４６ｂの両端が凹部４８より外側に位置するようになっている。
【００９３】
このため、図１４に示すように、係止軸４６の中央部４６ｂの両端が、本体部材４４の枠部４４ｂの背面に接触して、図１５に示すように、枠部４４ｂの背面から凹んで形成された凹部４８においては、係止軸４６の中央部４６ｂと凹部４８の最奥面４８ａの間に隙間が形成されている。
【００９４】
そして、係止軸４６の中央部４６ｂと凹部４８の最奥面４８ａの間隔は、裏板３６に形成されたフック部１７の先端部１７ｃの厚さ寸法より大きく形成されている。
【００９５】
このような、本実施の形態に係る額縁構造４２においては、本体部材４４に裏板３６を取り付ける場合、図１６（ａ）に示すように、フック部１７の先端部１７ｃを、係止軸４６の中央部４６ｂと凹部４８の最奥面４８ａの間の隙間に容易に差し込むことができ、裏板３６の取り付けを簡単に行うことができる。
【００９６】
そして、本実施の形態に係る額縁構造４２においては、表示物１の交換作業を行う場合、例えば作業中に作業者の手が裏板３６に接触して、図１６（ｂ）に示すように、裏板３６が上方に少し持ち上げられたとしても、フック部１７の湾曲部１７ｂが係止軸４６のガイド面４６ｅに接触するため、裏板３６が係止軸４６から容易に外れることを防止することができる。
【００９７】
そして、上記の２つの突出部２０，２０、係止軸４６、吊具２４、及び凹部４８からなる構成が、本体部材４４の上辺側の枠部４４ｂだけでなく、図１３における本体部材４４の右辺側の枠部４４ｂにも設けられているため、額縁構造４２の展示方向を変更することができる。
【００９８】
その他の構成は、前記第２の実施の形態に係る額縁構造３２と同様であるため、この本考案の第３の実施の形態に係る額縁構造４２を用いることにより、壁面の突起具に係止した状態で表示物の交換を簡単かつ迅速に行うことができると共に、厚さがそれぞれ異なる表示物でも支持することができる。
【００９９】
また、本実施の形態に係る額縁構造４２を用いることにより、額縁構造４２の展示方向を変更することができ、裏板３６の本体部材４４への取り付けが容易になり、表示物１の交換作業中に裏板３６が係止軸４６から容易に外れることを防止することができるため、表示物の交換をより迅速に行うことができる。
【０１００】
さらに、本実施の形態に係る額縁構造４２を用いることにより、本体部材４４の構造が簡略化されるため、額縁構造４２の製造コストを削減することができる。
【０１０１】
なお、本考案は、前記第１ないし第３の実施の形態のみに限定されるものではなく、本考案の目的を達成することができる範囲内であれば、種々の変更が可能である。
【０１０２】
例えば、本実施の形態に係る額縁構造においては、表示窓部は本体部材を厚さ方向に貫通する開口部として形成されているが、表示物の表示面が額縁の前面側から見えればよいので、表示窓部は透明の部材で覆うように形成してもよい。
【０１０３】
また、本実施の形態に係る額縁構造においては、本体部材の前面に前面板が取り付けられているが、前面板は額縁の前面を装飾するための部材なので、本体部材と前面板を一体に形成してもよく、複数の前面板を、本体部材の前面に着脱可能に取り付けてもよい。
【０１０４】
また、本実施の形態に係る額縁構造においては、突出部２０、支持部２６、及び補助突出部３８は本体部材１４，３４，４４と一体に形成されているが、上記各部を異なる部材として形成し、本体部材１４，３４，４４に後から接合してもよい。同様に、フック部１７や脚部１８は裏板１６，３６と一体に形成されているが、これらを異なる部材として形成し、裏板１６，３６に後から接合してもよい。
【０１０５】
また、本実施の形態に係る額縁構造においては、本体部材１４，３４，４４や裏板１６，３６の表示物１と接触する箇所は平坦な平面に形成されているが、支持した表示物１が移動しないように、滑り止めの部材が貼り付けられていてもよい。
【符号の説明】
【０１０６】
１  表示物
２  額縁構造
４  本体部材
４ａ  配置部
４ｂ  縁部
４ｃ  表示窓部
４ｄ  枠部
６  裏板
８  係止片
９  かけ紐
１２  額縁構造
１４  本体部材
１４ａ  表示窓部
１４ｂ  枠部
１６  裏板
１７  フック部
１７ａ  延板部
１７ｂ  湾曲部
１７ｃ  先端部
１８  脚部
１８ａ  接触面
１９  前面板
２０  突出部
２０ａ  係止軸孔
２０ｂ  吊具孔
２０ｃ  突出面
２２  係止軸
２４  吊具
２６  支持部
３０  壁面
３２  額縁構造
３４  本体部材
３４ａ  表示窓部
３４ｂ  枠部
３６  裏板
３８  補助突出部
３８ａ  段差部
３８ｂ  ガイド部
３８ｃ  突出面
３８ｄ  段差面
３８ｅ  円弧面
４２  額縁構造
４４  本体部材
４４ａ  表示窓部
４４ｂ  枠部
４６  係止軸
４６ａ  両端部
４６ｂ  中央部
４６ｃ  連結部
４６ｄ  ガイド部
４６ｅ  ガイド面
４８  凹部
４８ａ  最奥面
【図１】
0003213399.tif 000003
【図２】
0003213399.tif 000004
【図３】
0003213399.tif 000005
【図４】
0003213399.tif 000006
【図５】
0003213399.tif 000007
【図６】
0003213399.tif 000008
【図７】
0003213399.tif 000009
【図８】
0003213399.tif 000010
【図９】
0003213399.tif 000011
【図１０】
0003213399.tif 000012
【図１１】
0003213399.tif 000013
【図１２】
0003213399.tif 000014
【図１３】
0003213399.tif 000015
【図１４】
0003213399.tif 000016
【図１５】
0003213399.tif 000017
【図１６】
0003213399.tif 000018
【図１７】
0003213399.tif 000019
【図１８】
0003213399.tif 000020
【手続補正書】
【提出日】平成29年9月11日(2017.9.11)
【手続補正１】
【補正対象書類名】実用新案登録請求の範囲
【補正対象項目名】全文
【補正方法】変更
【補正の内容】
【実用新案登録請求の範囲】
【請求項１】
中央部に表示窓部が形成され、前記表示窓部の周囲を囲むように枠部が形成された本体部材と、
前記本体部材の前記枠部に取り付けられた吊具と、
前記本体部材の背面の、前記表示窓部の上側の前記枠部に設けられた係止部と、
前記本体部材の背面の、前記表示窓部を挟んだ前記係止部と反対側の前記枠部に形成された支持部と、
外形が前記表示窓部より大きく形成され、その背面から脚部が突出するように形成された裏板と、を備え、
前記係止部に、前記裏板の上部が係止することにより、前記裏板が前記本体部材の背面側に取り付けられ、
前記係止部が、前記裏板と前記枠部の間隔が変更可能となるように形成され、
前記吊具により前記本体部材を吊り下げたときに、前記本体部材と前記裏板との間に表示物を挟み込むことができ、
前記支持部が前記表示物の下部を支持することができるように構成した
ことを特徴とする額縁構造。
【請求項２】
前記脚部の突出方向の端部が、前記本体部材より背面側に突出するように形成された
ことを特徴とする請求項１に記載の額縁構造。
【請求項３】
前記係止部は、
前記本体部材の背面の、前記表示窓部の上側の前記枠部に、水平方向に所定の間隔をあけて、前記枠部の背面から突出して形成された２つの突出部と、
同一の軸線上に位置する両端部と、前記両端部の間に位置し、前記両端部の軸線と略平行、かつ前記両端部の軸線から下方にずれて位置する中央部と、前記中央部と前記両端部を連結する連結部からなる係止軸と、を備え、
前記係止軸の前記両端部が、前記２つの突出部のそれぞれに、前記両端部の軸線周りに回動可能に取り付けられ、
前記裏板の周部にはフック部が形成され、
前記フック部が前記係止軸の中央部に係止することにより、前記裏板が前記本体部材の背面側に取り付けられる
ことを特徴とする請求項１又は２に記載の額縁構造。
【請求項４】
前記係止部には、
前記２つの突出部の間に形成され、前記枠部の背面から垂直方向に突出して形成される段差面と、前記段差面の上部側がさらに垂直方向に突出して形成される突出面を有する階段状の段差部と、
前記段差部の左右に形成され、その下端から上方に向かうにつれて、断面が前記枠部の背面から前記突出面の位置まで緩やかに立上るような円弧形状に形成された円弧面を有するガイド部と、が形成され、
前記係止軸の前記中央部が前記段差面に接触することにより、前記係止軸の前記中央部と前記円弧面の間に隙間が形成され、
前記係止軸の前記中央部と前記円弧面の間隔は、前記フック部の先端部の厚さ寸法より大きく形成されている
ことを特徴とする請求項３に記載の額縁構造。
【請求項５】
前記係止部には、前記２つの突出部の間に、前記枠部の背面から前面へ向けて、前記本体部材の厚さ方向に凹むように、その最奥部には最奥面が形成された凹部が形成され、
前記係止軸の前記両端部のそれぞれの内側の端面の間をつなぐように、前記係止軸の前記中央部と略平行にガイド部が形成され、
前記係止軸の前記中央部と前記ガイド部の間には隙間が形成され、
前記係止軸の前記中央部と前記ガイド部の間隔は、前記フック部の厚さ寸法より大きく形成され、
前記係止軸の前記中央部の両端が前記本体部材の前記枠部の背面に接触することにより、前記係止軸の前記中央部と前記凹部の前記最奥面の間に隙間が形成され、
前記係止軸の前記中央部と前記凹部の前記最奥面の間隔は、前記フック部の先端部の厚さ寸法より大きく形成されている
ことを特徴とする請求項３に記載の額縁構造。
【請求項６】
前記係止部が、前記本体部材の前記枠部の背面の、複数の位置に設けられ、
前記フック部が、前記裏板の周部の、複数の位置に設けられた
ことを特徴とする請求項３から５いずれかに記載の額縁構造。